(57)【要約】複数のピクチャ要素を有するピクチャを表示するための電気泳動表示パネル（１）であって、複数の画素（２）と駆動手段（１００）とを有する電気泳動表示パネル（１）である。画素（２）は、電位差を受けるための第１電極（３）及び第２電極（４）と、第１電極（３）及び第２電極（４）の間にある電気泳動媒体（５）と、を有する。電気泳動媒体（５）は、第１極限光学的状態と、第２極限光学的状態と、中間光学的状態とを有し、中間光学的状態は第１極限光学的状態と第２極限光学的状態との間にある。再現可能な中間工学的状態を表示することができる表示パネル（１）に対して、駆動手段（１００）は、動作中、表示されるピクチャ要素に依存して、第１極限光学的状態、第２極限光学的状態及び特異平衡光学的状態の間の光学的状態を制御することができる。
2005531801.tif 000002
【特許請求の範囲】
【請求項１】
複数のピクチャ要素を有するピクチャを表示するための電気泳動表示パネルであって：
ピクチャ要素を表示するための複数の画素であって、各々の画素は、電位差を受けるための第１電極及び第２電極、並びに、前記第１電極及び前記第２電極の間の電気泳動媒体であって、第１極限光学的状態と、第２極限光学的状態と、前記第１極限光学的状態及び前記第２極限光学的状態の中間の中間光学的状態とを有する、電気泳動媒体、を有する、複数の画素；
表示されるピクチャ要素に依存して、前記第１極限光学的状態、第２極限光学的状態及び前記中間光学的状態の間に光学的状態を変化させるために、パルス持続期間を有する、動作中に前記電位差を制御することができる駆動手段；
を有する電気泳動表示パネルであり、
前記駆動手段は前記中間光学的状態として特異な平衡光学的状態を制御することができる；
ことを特徴とする電気泳動表示パネル。
【請求項２】
請求項１に記載の電気泳動表示パネルであって、前記駆動手段は、前記電位差であって：
前記第１光学的状態から前記第２光学的状態に前記光学的状態を変化させることに対するパルス持続期間及び電位差に比べて、前記第１光学的状態から前記平衡光学的状態に前記光学的状態を変化させることに対する比較的短いパルス持続期間及び等しい符号の電位差； 
前記第２光学的状態から前記第１光学的状態に前記光学的状態を変化させることに対するパルス持続期間及び電位差に比べて、前記第２光学的状態から前記平衡光学的状態に前記光学的状態を変化させることに対する比較的短いパルス持続期間及び等しい符号の電位差；並びに
続く、実質的に０である電位差；
を制御することができる、ことを特徴とする電気泳動表示パネル。
【請求項３】
請求項１に記載の電気泳動表示パネルであって、前記平衡光学的状態は前記第１極限光学的状態と前記第２極限光学的状態との中央の状態である、ことを特徴とする電気泳動表示パネル。
【請求項４】
請求項１乃至３のいずれ一項に記載の電気泳動表示パネルであって、前記駆動手段は少なくとも２つの隣接画素により各々のピクチャ要素を表すことができる、ことを特徴とする電気泳動表示パネル。
【請求項５】
請求項４に記載の電気泳動表示パネルであって、前記の少なくとも２つの隣接画素各々は前記光学的状態を表示するための領域をもつ表面を有し、前記領域の第１領域は前記領域の第２領域の実質的に三分の一である、ことを特徴とする電気泳動表示パネル。
【発明の詳細な説明】
【技術分野】
【０００１】
本発明は、複数のピクチャ要素を有するピクチャを表示するための電気泳動表示パネルであって：
−  ピクチャ要素を表示するための複数の画素であって、各々の画素は、電位差を受けるための第１電極及び第２電極と、前記第１電極及び前記第２電極の間の電気泳動媒体であって、第１極限光学的状態及び第２極限光学的状態と前記第１極限光学的状態及び前記第２極限光学的状態の中間にある中間光学的状態とを有する、電気泳動媒体と、を有する、複数の画素；
−  表示されるピクチャ要素に依存して、前記第１極限光学的状態、第２極限光学的状態及び前記中間光学的状態の間の光学的状態を変化させるために、パルス持続期間を有する、動作中に前記電位差を制御することができる駆動手段；
を有する電気泳動表示パネルに関する。
【背景技術】
【０００２】
冒頭の段落において説明した種類の電気泳動表示パネルの実施形態について、公表されていない欧州特許出願第０２０７５８４６.２号明細書に記載されている。
【０００３】
その記載されている電気泳動表示パネルにおいて、各々の画素は１つの画像要素を表す。画素の光学的状態は表されたピクチャ要素の光学的状態に等しい。画素の電気泳動媒体は、透明な液体の状態で正及び負に帯電された粒子を含む。正に帯電した粒子は負に帯電した粒子と異なる色を有する。動作中、駆動手段により制御される電位差は帯電された粒子の動きを決定する。正に帯電した粒子が第１電極に位置付けられ、負に帯電した粒子が第２電極に位置付けられる場合、電気泳動媒体は第１極限光学的状態にある。第１電極側において、ピクチャ要素は正に帯電した粒子の色を有する。反対の電位差において、帯電した粒子は反対の位置にあり、電気泳動媒体は第２極限光学的状態にある。第１電極側において、ピクチャ要素は負に帯電した粒子の色を有する。第１極限光学的状態から第２極限光学的状態に及びその逆に電気泳動媒体の光学的状態を変化させるために、電位差は比較的大きく、パルス持続期間は比較的長い。到達する光学的状態は、その電位差におけるオーバーシュートに対して非感応的であり、並びに／若しくは大きい電位差としてのパルス持続期間及び／又は長いパルス持続期間は、なおさら光学的状態に影響を及ぼさない。表示パネルは、グレー値と呼ばれる中間光学的状態を表示することが出来る。グレー値は、ここでは、第１極限光学的状態の色と第２極限光学的状態の色との間の色値を意味するとして理解される。第１極限光学的状態及び第２極限光学的状態が白及び黒を表す場合、グレー値は階調を表す。第１極限光学的状態及び第２極限光学的状態が２つの他の色を表す場合、グレー値はそれら２つの色の混合色を表す。動作中、グレー値を表示するために、電位差をパルス化し、駆動手段により制御され、制御することが難しい、パルス持続期間、電位差及び他の因子はグレー値を決定する。例えば、液体及び／又は粒子の粘度又は誘電率が、例えば、温度変動のために変化する場合、帯電した粒子の動きは変化し、同じパルス持続期間及び同じ電位差は異なるグレー値をもたらす。それ故、再現可能な方式でグレー値を表示することは困難である。
【０００４】
その上、表示ピクチャにおいて再現可能なグレー値を得ることは困難であるということは、上記の表示パネルの欠点である。
【発明の開示】
【発明が解決しようとする課題】
【０００５】
本発明の目的は、動作中に、再現可能なグレー値を表示することが出来る、冒頭の段落において説明した種類の表示パネルを製造することである。
【０００６】
それ故、その目的が達成されると、駆動手段は中間光学的状態として平衡光学的特異状態を制御することができる。
【課題を解決するための手段】
【０００７】
本発明は、グレー値を得るために中間状態として平衡光学的状態を表すグレー値を駆動手段が制御することができる場合に、制御することが困難である多くの因子とこのグレー値との間の関係の依存性を減少させる。例えば、温度依存性は、液体中の粒子のレオロジー特性に依存する。そのような温度依存性は非常に小さく、まして、レオロジー特性はなおさら重要ではない。電位差が実質的に０である場合、電気泳動媒体は同じグレー値、即ち、平衡光学的状態のグレー値に達することが観測されている。それ故、表示パネルは、動作中に、再現可能なグレー値を表示することができる。
【０００８】
平衡グレー値に達する時間間隔は、例えば、１０秒乃至１０分のオーダーである。この表示ピクチャは：
−  第１光学的状態から第２光学的状態に光学的状態を変化させることに対するパルス持続期間及び電位差に比べて、第１光学的状態から平衡光学的状態に光学的状態を変化させることに対する比較的短いパルス持続期間及び等しい符号の電位差と；
−  第２光学的状態から第１光学的状態に光学的状態を変化させることに対するパルス持続期間及び電位差に比べて、第２光学的状態から平衡光学的状態に光学的状態を変化させることに対する比較的短いパルス持続期間及び等しい符号の電位差と；
−  続いて、実質的に０である電位差と；
を駆動手段が制御することができる場合、より速く変化する。等しい符号と比較的短いパルス持続期間とを有する電位差は、グレー値が平衡グレー値の近くになるようにする。続いて、電位差は実質的に０になり、電気泳動媒体は平衡グレー値に達する。
【０００９】
グレー値はカラード粒子の数とサイズに依存する。表示されるピクチャは、平衡光学的状態が第１極限光学低状態と第２極限光学低状態との中間にある場合、比較的良好なピクチャ品質を有する。このとき、グレー値は中間のグレーである。実際には、例えば、正に帯電した粒子の数及びサイズが負に帯電した粒子の数及びサイズに近い場合、平衡光学的状態は概ね中間グレーを表す。
【００１０】
各々のピクチャ要素が１画素により表される場合、各々のピクチャ要素は３つの光学的状態を有することができる。しかしながら、駆動手段が少なくとも２つの隣接画疎により各々のピクチャ要素を表すことができる場合、各々のピクチャ要素は、少なくとも２つの隣接画疎の光学的状態の組み合わせにより形成される光学的状態のために、３つの光学的状態より多い状態を有することができる。更に、平衡光学的状態が第１極限光学低状態と第２極限光学低状態との中間にある場合、表示されるピクチャは更に良好なピクチャ品質を有する。更に、少なくとも２つの隣接画素各々が光学的状態を表示するための領域をもつ表面を有している場合、それらの領域の第１領域はそれらの領域の第２領域の実質的に
１／３であり、ピクチャ要素は、２つの極限光学的状態の間において実質的に均一に分布された少なくとも９つの光学的状態を有する。
【００１１】
本発明の上記の及び他の特徴について、添付図を参照して更に説明することとする。
【発明を実施するための最良の形態】
【００１２】
図１において、表示パネル１は画素２を有する。画素２は、例えば、二次元構造において実質的に直線のラインに沿って配列される。
【００１３】
図２においては、画素２は、電位差を受けるために、基板９上に存在する第１電極３と第２電極４とを有する。更に、電気泳動媒体５は、第１電極３と第２電極４との間であって、例えば、透明な液体における正に帯電した黒色粒子６と負に帯電した白色粒子７との間に存在する。正に帯電した粒子６が第１電極３に位置付けられ、負に帯電した粒子７が第２電極４に位置付けられている場合、電気泳動媒体５は第１極限光学的状態にある。電位差は、例えば、５Ｖである。ピクチャ要素が第１電極３側から見える場合、第１電極は透明であり、ピクチャ要素は黒い。帯電した粒子６、７の逆の位置において、電気泳動媒体５は第２極限光学的状態にあり、第１電極３側から見たピクチャ要素は白色である。このとき、電位差は、例えば、５Ｖである。電気泳動媒体５の光学的状態を極限光学的状態の１つに変化させるために、駆動手段は、光学的状態を第１極限光学的状態に変化させるために５秒の期間の間に適用される、例えば、−５Ｖの電位差を、及び、光学的状態を第２極限光学的状態に変化させるために５秒の期間の間に適用される５Ｖの電位差を、印加することができる。
【００１４】
電気泳動媒体５が極限光学的状態の１つの状態にあり、電位差が駆動手段により０Ｖに変化される場合、光学的状態は、平衡光学的状態、極限光学的状態の中間、例におけるグレー値に向かってゆっくり変化する。中間光学的状態に達する間隔は、典型的には、１０秒のオーダーから１０分のオーダーまで変化させて調節される。電位差が次のような場合、この間隔は短く、例えば、２秒である。
−  第１光学的状態から平衡光学的状態に光学的状態を変化させるために５Ｖが１秒間印加される場合、及び
−  第２光学的状態から平衡光学的状態に光学的状態を変化させるために−５Ｖが１秒間印加され、続いて、電位差が実質的に０になる場合。このとき、電気泳動媒体は平衡グレー値に達する。
【００１５】
正に帯電した粒子６及び負に帯電した粒子７の数及びサイズが等しい場合、平衡光学的状態は中間のグレーを表し、表示されるピクチャは比較的良好なピクチャ品質を有する。正に帯電した粒子６のサイズが負に帯電した粒子７のサイズより大きい場合、平衡光学的状態は、負に帯電した粒子７の色というより正に帯電した粒子６の色により近い色を示す。
【００１６】
図３において、ピクチャ要素を表す２つの隣接画素２´を示している。隣接画素２´の各々の光学的状態は、第１極限光学的状態である０、平衡光学的状態である１、及び第２極限光学的状態である２で表される。このとき、ピクチャ要素は、次のような、９つの光学的状態を有する。
−  ００：両方の隣接画素２´は光学的状態０にある。
−  ０１：第１の隣接画素２´は光学的状態０にあり、第２の隣接画素２´は光学的状態１にある。
−  ０２、１０、１１、１２、２０、２１及び２２。
【００１７】
例として、２つの隣接画素２´各々は、第１極限光学的状態及び第２極限光学的状態の中間にあるそれらの平衡光学的状態を有する。更に、第１隣接画素２´の光学的状態を表示するための領域は、第２隣接画素２´の光学的状態を表示するための領域に対して、実質的には３倍である。表されたピクチャ要素は、２つの極限光学的状態の間において実質的に均一に分布した９つの光学的状態である。ピクチャ要素を表す３つの隣接画素に対して、第１隣接画素の光学的状態を表示するための領域は第２隣接画素の光学的状態を表示するための領域の約３倍であり、第２隣接画素の光学的状態を表示するための領域は第３隣接画素の光学的状態を表示するための領域の約３倍であり、ピクチャ要素は、２つの極限光学的状態間において、実質的に均一に分布した、２７個の光学的状態を有する、等である。
【００１８】
図４において示している、本発明を適用した表示パネルの電気的等化部分は、駆動手段１００と、行電極又は選択電極７０と列電極又はデータ電極６０との交差部分の領域における画素２のマトリクスとを有する。図４において１からｍまでの数で番号付けされた行電極７０は行ドライバ４０により連続的に選択される一方、図４において１からｎまでの数で番号付けされた列電極６０はデータレジスタ５０によりデータを供給される。必要に応じて、表示されるべきデータ２０は、先ず、処理器３０において処理される。行ドライバ４０とデータレジスタ５０との間の相互同期は、処理器３０に接続された駆動ライン８０により生じる。駆動手段１００は、例えば、行ドライバ４０、行電極７０、データレジスタ５０、列電極６０、駆動ライン８０及び処理器３０を有する。
【００１９】
行ドライバ及びデータレジスタ５０からの駆動信号は画素２を選択し、これはパッシブ駆動と呼ばれる。列電極６０は行電極７０に関してそのような電位を受けるため、画素２は、例えば、黒色。白色又は中間のグレーの交差部分の領域において、平衡光学的状態又は極限光学的状態の１つを得る。行ドライバ４０からの駆動信号は、ＴＦＴと表される薄膜トランジスタ９０により画素を選択し、そのＴＦＴのゲート電極は行電極７０に電気的に接続され、そのソース電極は列電極６０に電気的に接続され、これはアクティブ駆動と呼ばれる。列電極６０にある信号は、ＴＦＴ９０により画素２に渡される。図４の例において、そのようなＴＦＴ９０は、１つの画素２のみを示している。
【００２０】
本発明の範囲内で多くの変形が可能であることを、当業者は理解するであろう。
【００２１】
本発明の範囲は、上で説明した代表的な実施形態に限定されない。本発明は、全ての新規な特徴及び全ての特徴の組み合わせにおいて実施することができる。
【図面の簡単な説明】
【００２２】
【図１】表示パネルの正面図である。
【図２】図１の線ＩＩ−ＩＩにおける断面図である。
【図３】表示パネルの正面図である。
【図４】表示パネルの一部の等価回路図である。
【図１】
2005531801.tif 000003
【図２】
2005531801.tif 000004
【図３】
2005531801.tif 000005
【図４】
2005531801.tif 000006
【国際調査報告】
2005531801.tif 000007
2005531801.tif 000008
2005531801.tif 000009